【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
環状体、
前記環状体の軸線方向に前記環状体を貫通する開口部、及び、
前記開口部の周りに円周方向に延びる凹部、を備えるベースと、
前記凹部の中に挿入可能であり、且つ前記凹部から取り外し可能であるレンズであって、前記レンズは、
中央光学部品、
前記中央光学部品から離れるように半径方向に突出する第１のタブ、及び、
前記中央光学部品から離れるように半径方向に突出し、半径方向の圧縮に対して、前記第１のタブよりも大きな抵抗力を有する第２のタブ、を備え、
前記第１のタブは、
前記中央光学部品から離れるように半径方向に突出する第１のアーム、
前記中央光学部品から離れるように半径方向に突出し、且つ前記第１のアームから離れるように延びる第２のアーム、及び、
前記第１のアームから前記第２のアームまで延びる第３のアーム、を含み、
前記第１、第２、及び第３のアームのうちの１つ以上の動きが前記第１のタブの変形をもたらす、レンズと、
を備える眼内レンズシステム。
【請求項２】
前記第３のアームの中央部分は、前記第３のアームの頂点を含み、前記頂点は、前記第３のアームの半径方向最外側部分である、請求項１に記載の眼内レンズシステム。
【請求項３】
前記第１、第２、及び第３のアームの各々が少なくとも１つの直線区画を有する、請求項１に記載の眼内レンズシステム。
【請求項４】
前記第３のアームは第１の直線区画及び第２の直線区画を有し、前記第１の直線区画及び前記第２の直線区画は頂点で連結されている、請求項３に記載の眼内レンズシステム。
【請求項５】
前記第１の直線区画と前記第２の直線区画との間に鈍角が形成されている、請求項３に記載の眼内レンズシステム。
【請求項６】
前記第１のアームは前記中央光学部品から第１の方向に延び、前記第２のアームは前記中央光学部品から第２の方向に延び、前記第２の方向は前記第１の方向とは異なり、前記第１の方向と前記第２の方向との間に鈍角が形成されている、請求項１に記載の眼内レンズシステム。
【請求項７】
前記第２のタブは、
前記中央光学部品の第１の半径方向外側表面から突き出る第１の側面であって、前記第１の側面と前記第１の半径方向外側表面との間に第１の角度が形成されている、第１の側面と、
前記中央光学部品の第２の半径方向外側表面から突き出る第２の側面であって、前記第２の側面と前記第２の半径方向外側表面との間に第２の角度が形成されている、第２の側面と、を含み、
前記第１の角度及び前記第２の角度の大きさは異なる、
請求項１に記載の眼内レンズシステム。
【請求項８】
環状体、
前記環状体の軸線方向に前記環状体を貫通する開口部、及び、
前記開口部の周りに円周方向に延びる凹部、を備えるベースと、
前記凹部の中に挿入されるように、且つ前記凹部から取り外し可能であるように構成されたレンズであって、前記レンズは、
中央光学部品、
前記中央光学部品から離れるように半径方向に延びる第１のタブ、及び、
前記中央光学部品から離れるように半径方向に延び、圧縮に対して、前記第１のタブよりも大きな抵抗力を有する第２のタブ、を備え、
前記第１のタブは、
前記中央光学部品から離れるように半径方向に延びる第１のアーム、
前記中央光学部品から離れるように半径方向に延びる第２のアーム、及び、
前記第１のアームと前記第２のアームとの間に延びる第３のアーム、を含み、
前記第１、第２、及び第３のアームのうちの１つ以上が変形して、前記第１のタブを圧縮状態と伸長状態との間で移動させるように構成され、
前記第１のタブの前記伸長状態において、前記第１のアームと前記第２のアームとの間に鈍角が形成される、レンズと、
を備える眼内レンズシステム。
【請求項９】
前記第１のタブは第１の平面を含み、
前記中央光学部品は第２の平面を含む、請求項８に記載の眼内レンズシステム。
【請求項１０】
前記第１のタブの前記伸長状態において、前記第１の平面と前記第２の平面との間に鋭角が形成される、請求項９に記載の眼内レンズシステム。
【請求項１１】
前記第１のタブが前記伸長状態から前記圧縮状態に移動するにつれて、前記第１の平面及び前記第２の平面は互いに向かって移動するように構成されている、請求項９に記載の眼内レンズシステム。
【請求項１２】
前記中央光学部品は平面を含み、前記圧縮状態において、前記第１のアーム及び前記第２のアームのうちの一方が前記平面に当接する、請求項８に記載の眼内レンズシステム。
【請求項１３】
前記第１のアームは第１のヒンジ部分を含み、
前記第２のアームは第２のヒンジ部分を含み、
前記第３のアームは第３のヒンジ部分を含み、
前記第１、第２、及び第３のヒンジ部分は、前記第１のタブが前記伸長状態と前記圧縮状態との間を移動するにつれて曲がるように構成されている、
請求項８に記載の眼内レンズシステム。
【請求項１４】
前記第１、第２、及び第３のアーム、並びに前記中央光学部品は、孔を取り囲む閉じたリングを形成し、
前記孔の幅は、前記第１のタブが前記圧縮状態に移動するにつれて狭くなる、請求項８に記載の眼内レンズシステム。
【請求項１５】
ベースとレンズとを含む眼内レンズシステムであって、
前記ベースは、
上部リム及び下部リムを含む環状体と、
前記環状体の軸線方向で前記環状体を貫通して延びる開口部と、
前記上部リムにおいて直径方向に対向する第１の対の折り畳みノッチ及び前記下部リムにおいて直径方向に対向する第２の対の折り畳みノッチであって、該ベースを折り畳むための折り目を提供するように構成された直径方向に対向する第１及び第２の対の折り畳みノッチと、
前記開口部の周りに円周方向に延びる凹部と、
を含んでおり、
前記レンズは、前記凹部の中に挿入可能であり、且つ前記凹部から取り外し可能であって、
中央光学部品と、
前記中央光学部品から離れるように半径方向に突出する第１のタブと、
前記中央光学部品から離れるように半径方向に突出し、半径方向の圧縮に対して、前記第１のタブよりも大きな抵抗力を有する第２のタブと、
を含んでおり、
前記第１のタブは、
前記中央光学部品から離れるように半径方向に突出する第１のアームと、
前記中央光学部品から離れるように半径方向に突出し、且つ前記第１のアームから離れるように延びる第２のアームと、
前記第１のアームから前記第２のアームまで延びる第３のアーム、を含み、
前記第１、第２、及び第３のアームのうちの１つ以上の動きが前記第１のタブの変形をもたらす、眼内レンズシステム。
【請求項１６】
前記第３のアームの中央部分は、前記第３のアームの頂点を含み、前記頂点は、前記第３のアームの半径方向最外側部分である、請求項１５に記載の眼内レンズシステム。
【請求項１７】
前記第１、第２、及び第３のアームの各々が少なくとも１つの直線区画を有する、請求項１５に記載の眼内レンズシステム。
【請求項１８】
前記第３のアームは第１の直線区画及び第２の直線区画を有し、前記第１の直線区画及び前記第２の直線区画は頂点で連結されている、請求項１６に記載の眼内レンズシステム。
【請求項１９】
前記第１の直線区画と前記第２の直線区画との間に鈍角が形成されている、請求項１７に記載の眼内レンズシステム。
【請求項２０】
前記第１のアームは前記中央光学部品から第１の方向に延び、前記第２のアームは前記中央光学部品から第２の方向に延び、前記第２の方向は前記第１の方向とは異なり、前記第１の方向と前記第２の方向との間に鈍角が形成されている、請求項１５に記載の眼内レンズシステム。
【請求項２１】
前記第２のタブは、
前記中央光学部品の第１の半径方向外側表面から突き出る第１の側面であって、前記第１の側面と前記第１の半径方向外側表面との間に第１の角度が形成されている、第１の側面と、
前記中央光学部品の第２の半径方向外側表面から突き出る第２の側面であって、前記第２の側面と前記第２の半径方向外側表面との間に第２の角度が形成されている、第２の側面と、を含み、
前記第１の角度及び前記第２の角度の大きさは異なる、
請求項１５に記載の眼内レンズシステム。